【事件の表示】
　平成　７年特許願第　５２２５６号「映像検索方法及びその方法を利用した装置」拒絶査定に対する審判事件［平成　８年　９月２７日出願公開、特開平　８−２４９３４８］について、次のとおり審決する。
【結　論】
　本件審判の請求は、成り立たない。
【理　由】
１．手続の経緯
　本願は、平成７年３月１３日の出願であって、平成１２年２月２日付の拒絶の理由の通知に対して、その指定した期間内である、平成１２年４月１０日付で意見書が提出されるとともに手続補正がなされたが、平成１２年５月９日付で拒絶の査定を受けたものであり、この査定を不服として、平成１２年６月１４日付で審判の請求がなされ、特許法第１７条の２第１項第５号の規定する期間内である平成１２年７月１４日付で手続補正のなされたものである。
　
２．平成１２年７月１４日付の手続補正についての補正却下の決定
　
［補正却下の決定の結論］
平成１２年７月１４日付の手続補正を却下する
　
［理由］
（１）本件手続補正
　平成１２年７月１４日付の手続補正は、平成１２年４月１０日付け手続補正により補正された特許請求の範囲（以下、「補正前の特許請求の範囲」という。）について、次のとおり（以下、「補正後の特許請求の範囲」という。）補正（以下、「本件補正」という。）することを含むものである。
　
（補正前の特許請求の範囲）
【請求項１】
  映像データを表示する表示装置を有する映像検索装置で使用される映像検索方法であって、前記映像データと前記映像データを代表する第１の画像データと前記映像データの内容を表す複数枚の第２の画像データと前記第２の画像データの前記映像データ中における記録位置とを対応付けて記憶し、利用者からの映像検索要求に応答して、前記第１の画像データを表示し、利用者が指定した前記第１の画像データに対応する前記第２の画像データを表示し、利用者が指定した前記第２の画像データの前記映像データ中における記録位置に続く映像データを再生する映像検索方法。
　
【請求項２】
  請求項１記載の映像検索方法であって、利用者が第２の画像を複数指定した場合は、前記第２の画像データのうち一方の映像データ中における記録位置から第２の画像データのうち他方の映像データ中における記録位置までの映像データを再生する映像検索方法。
　
【請求項３】
  請求項１記載の映像検索方法であって、第１の画像データとして、１枚の静止画像を用いる映像検索方法。
　
【請求項４】
  請求項１記載の映像検索方法であって、第１の画像データとして、映像データの少なくとも一部を用いる映像検索方法。
　
【請求項５】
  請求項１記載の映像検索方法であって、第２の画像データとして、映像データの少なくとも一部を用いる映像検索方法。
　
【請求項６】
  映像データを代表する第１の画像データを表示する第１の表示領域と、前記第１の画像データに対応する映像データの内容を表すと共に前記映像データ中における記録位置と対応付けられた第２の画像データを表示する第２の表示領域と、映像データを表示する第３の表示領域とを有する表示装置と、
  表示された前記第２の画像データの前記記録位置に続いて再生される映像データを前記第３の表示領域に表示する処理装置とを有する映像検索装置。
　
【請求項７】
  映像データを表示する表示装置を有する映像検索装置であって、前記映像データを代表する第１の画像データと前記映像データの内容を表す複数枚の第２の画像データと前記第２の画像データの前記映像データ中における記録位置とを対応づけて記憶する記憶手段と、利用者からの映像検索要求入力手段と、前記入力手段から映像検索要求を受けて、前記表示装置に前記第１の画像データを表示する手段と、前記表示装置に前記第２の画像データを表示する手段と、利用者が指定する前記第２の画像データに対応する前記映像データ中の位置に続く映像データを再生する手段とを有する映像検索装置。
　
（補正後の特許請求の範囲）
【請求項１】
 映像データを表示する表示装置を有する映像検索装置で使用される映像検索方法であって、
前記映像データと、前記映像データを代表する第１の画像データと、前記映像データの内容を表す複数の第２の画像データ及び前記映像データ中における前記第２の画像データの記録位置とをそれぞれ記憶し、利用者からの映像検索要求に応じて、前記第１の画像データを表示し、利用者が指定した前記第１の画像データに対応する前記第２の画像データを表示し、利用者が指定した前記第２の画像データの記録位置に続く映像データを表示する映像検索方法。
　
【請求項２】
　請求項１の映像検索方法において、
　前記第１の画像データは予め定められた分類と対応付けて記憶され、利用者によって選択された分類に対応付けられた前記第１の画像データを表示する映像検索方法。
　【請求項３】
　請求項１の映像検索方法において、
　前記第１の画像データは文字データと共に記憶され、前記利用者からの検索要求に応じて、前記第１の画像データと前記文字データとを表示する映像検索方法。
　
【請求項４】
　請求項１の映像検索方法において、
　前記映像データ、前記第１の画像データ、前記第２の画像データを前記表示装置の同一画面上に表示する映像検索方法。
　
【請求項５】
映像データを表示する表示装置を有する映像検索装置であって、
前記映像データと、前記映像データを代表する第１の画像データと、前記映像データの内容を表す複数の第２の画像データ及び前記映像データ中における前記第２の画像データの記録位置とをそれぞれ記憶する記憶手段と、
利用者からの映像検索要求に応じて、前記第１の画像データを表示し、利用者が指定した前記第１の画像データに対応する前記第２の画像データを表示し、利用者が指定した前記第２の画像データの記録位置に続く映像データを表示する表示手段とを有する映像検索装置。
　
【請求項６】
　請求項５の映像検索装置において、
　前記記憶手段は、前記第１の画像データは予め定められた分類と対応付けて記憶し、前記表示手段は、前記分類を表示し、利用者によって選択された分類に対応付けられた前記第１の画像データを表示する映像検索装置。
　
【請求項７】
　請求項５の映像検索装置において、
　前記記憶手段は文字データを前記第１の画像データに対応付けて記憶し、前記表示手段は利用者からの検索要求に応じて、前記第１の画像データと前記文字データとを表示する映像検索方法。
　
【請求項８】
　請求項５の映像検索装置において、
　前記表示手段は前記映像データ、前記第１の画像データ、前記第２の画像データを前記表示装置の同一画面上に表示する映像検索装置。
　
（２）本件補正の目的
　本件補正が、特許法第１７条の２第３項に掲げる事項を目的とするものであるかを検討する。
　まず、本件補正は、同法第１７条の２第３項第１号の請求項の削除、同第３号の誤記の訂正、同第４号の明りょうでない記載の釈明（拒絶理由通知に係る拒絶の理由に示す事項についてするものに限る。）を目的とするものに該当しないことは明らかである。
　そこで、本件補正が、同第２号の特許請求の範囲の減縮を目的とするものであって、補正前の特許請求の範囲の請求項に記載された発明の構成に欠くことができない事項の範囲内において、その補正前の特許請求の範囲の請求項に記載された発明の構成に欠くことができない事項の全部又は一部を限定するものに該当するか否か検討する。
　すると、補正前の特許請求の範囲の請求項数７に対し、補正後の特許請求の請求項数は８である。これは、請求項数を増加する補正であり、多数項引用形式請求項の引用形式を変更する場合に該当しないから、そもそも本件補正は特許請求の範囲の減縮を目的とするものではない。
　さらに、映像検索装置に関する補正後の特許請求の範囲の請求項５についてみると、補正後の特許請求の範囲の請求項５に記載される発明の構成に欠くことができない事項として「記憶手段」が記載されていることから、補正後の特許請求の範囲の請求項５に記載される発明は、補正前の特許請求の範囲に記載された映像検索装置に関する発明のうち、補正前の特許請求の範囲の請求項６に記載された発明の構成に欠くことができない事項をその発明の構成に欠くことができない事項の範囲内において限定したものでないことは、補正前の特許請求の範囲の請求項６の記載から明らかである。
　そして、補正前の特許請求の範囲に記載された映像検索装置に関する発明は、請求項６に記載された発明の外は請求項７に記載された発明のみであり、補正前の特許請求の範囲の請求項７に記載された発明は、その発明の構成に欠くことができない事項として「利用者からの映像検索要求入力手段」を有しているのに対し、補正後の特許請求の範囲の請求項５に記載される発明は、その発明の構成に欠くことができない事項として「利用者からの映像検索要求入力手段」を有していないことから、補正後の特許請求の範囲の請求項５は、補正前の特許請求の範囲の請求項７に記載された発明の構成に欠くことができない事項の範囲内において、補正前の特許請求の範囲の請求項７に記載された発明の構成に欠くことができない事項を限定するものではない。
　したがって、補正後の特許請求の範囲の請求項５に記載される発明についてみると、本件補正は、特許請求の範囲の減縮を目的とするものであって、補正前の特許請求の範囲の請求項に記載された発明の構成に欠くことができない事項の範囲内において、その補正前の請求項に記載された発明の構成に欠くことができない事項の全部又は一部を限定するものでもない。
　
（３）むすび
　以上のとおりであるから、本件手続補正は、特許法第１７条の２第３項の規定に適合しないので、同法第１５９条第１項で準用する同法第５３条第１項の規定により却下すべきものである。
　
　よって結論のとおり決定する。
　
３．本願発明について
（１）本願発明
　平成１２年７月１４日付の手続補正は上記のとおり決定をもって却下されたので、本願の請求項６に係る発明（以下、「本願発明」という。）は、平成１２年４月１０日付け手続補正書により補正をされた明細書及び図面の記載から見て、その請求項６に記載された「映像データを代表する第１の画像データを表示する第１の表示領域と、前記第１の画像データに対応する映像データの内容を表すと共に前記映像データ中における記録位置と対応付けられた第２の画像データを表示する第２の表示領域と、映像データを表示する第３の表示領域とを有する表示装置と、表示された前記第２の画像データの前記記録位置に続いて再生される映像データを前記第３の表示領域に表示する処理装置とを有する映像検索装置。」にあると認める。
　
（２）引用例
　これに対して、原査定の拒絶の理由に引用された特開平２−３２４７３号公報（以下、「引用例」という。）には動画像検索編集システムにおける動画像検索方式ついて、図面とともに、次の事項が記載されている。
（ア）まず処理１において、計算機２１はポインティングデバイス２３で利用者が指示するビデオディスクの識別子を入力する。
　処理２において、計算機２１はメモリ２５上に格納されている蓄積動画像の制御情報から前記入力ビデオディスク識別子に対応する動画像のかたまりを代表する画像のフレーム番号を取り出す。
　処理３において、計算機２１は前記取り出したフレーム番号を動画像蓄積再生装置２４に指示し、所望のフレーム画像をアクセスし、Ａ／Ｄ変換装置１６を通して当該フレーム画像を入力し、入力画像を縦・横必要に応じた比率で縮小し、ピクチャーアイコン３Ｐとして高解像度ディスプレイ２２の動画像一覧３０を示すウィンドウ内に並べて表示し、検索範囲のすべての動画像の塊に対して本処理を実行する。（第３頁左下段第１４行目〜右下段第９行目）
（イ）処理４において、利用者が前記一覧表示されたピクチャーアイコン３Ｐの一つをポインティングデバイスにより選択すると、計算機２１は当該ピクチャーアイコンの枠の色を変更するとともに、メモリ２５から該当する動画像のかたまりに対応する情報として、区間を定義する開始フレーム番号、終了フレーム番号、その他の内容に関連した情報をアクセスし、高解像度ディスプレイ２２に選択動画内容表示用のウインドウをオープンする。
　処理５において、計算機２１は当該動画像のかたまりの定義区間の長さと表示領域の大きさに応じたサンプルフレーム間隔を決め、開始フレームから始まってサンプル間隔毎に対応するフレーム画像をＡ／Ｄ変換装置２６を通して入力し、・・・・・前記オープンしたウィンドウ内に・・・ストロボピクチャーアイコンとして表示する。（第３頁右下段１２行目〜第４頁左上段１１行目）
 （ウ）処理６において、利用者が以上のフローを異なる動画像のかたまりに対して繰り返すか（処理４，５）、さらに詳細な部分動画像の検索を前記と同様のストロボピクチャーアイコンにより行うか（処理７）、または実際に動画像を再生することにより行うかの選択（処理８）を行う。（第４頁左上段１１行目〜第４頁左上段１７行目）
　なお、本願明細書の発明の詳細な説明にその文言はないが、上記記載事項を説明する図面第２図には、高解像度ディスプレイに動画像再生ウィンドウが表示されることが図示されており、上記「動画像」はこの動画像再生ウィンドウに表示されるものと認められる。
（エ）処理７において、利用者がポインティングデバイス２３により前記表示のストロボピクチャーアイコンの部分区間を指示すると、計算機２１は区間に対応するストロボピクチャーアイコン（「ピクチャーアイコン」と記載されているが、これは誤記であり、正しくは「ストロボピクチャーアイコン」であると認める。）から開始フレーム番号、終了フレーム番号を求める。（第４頁左上段１８行目〜第４頁右上段２行目）
（オ）処理８において、計算機２１は高解像度ディスプレイ２２に表示している動画像再生制御ウィンドウ内の制御機能アイコンのどれかが利用者により指示されると、対応する制御コマンドを動画像蓄積再生装置２４に指示する。また利用者が制御機能の内、動画像の部分区間の開始画面および終了画面のマーキングを行うと、計算機２１はそのフレーム番号を部分画像の区間定義情報として記憶する。（第４頁右上段３行目〜第４頁右上段１１行目）
（カ）処理９において、計算機２１は、上記処理で決まった部分動画像の区間を代表するフレーム画像を利用者の指示または一定のルールで決め、対応するフレーム番号により上記処理と同様にして代表画像のピクチャーアイコンを作成する。（第４頁右上段１２行目〜第４頁右上段１６行目）
（キ）処理１０において、前記部分動画像区間に対して処理５と同様にストロボピクチャーアイコン表示を行う。（第４頁右上段１７行目〜第４頁右上段１９行目）
（ク）以上において、さらに詳しく部分動画像を定義する必要の有る場合には、処理６〜１０の処理を必要なだけ繰り返す。これにより部分動画像の検索が行われる。（第４頁右上段１９行目〜第４頁左下段２行目）
　
　ここで、上記（イ）の記載から「選択動画内容表示用のウィンドウ」に表示される「ストロボピクチャーアイコン」は、選択された「ピクチャーアイコン」に対応する動画像のかたまりのサンプリングされたフレーム画像、すなわち、動画像のかたまりの内容を表す「画像」であると認められ、また、（エ）の記載から「ストロボピクチャーアイコン」は動画像の「フレーム番号」と対応付けて扱われているものと認められる。
　また、上記（ク）の記載から、引用例に記載された動画像検索方式は、処理６−１０を必要なだけ繰り返すための処理装置を実質的に有すると認められる。
　したがって、引用例には、
「動画像のかたまりを代表するピクチャーアイコンを表示する動画像一覧を示すウィンドウと、動画像の内容を示すと共に、フレーム番号に対応づけられたストロボピクチャーアイコンを表示する選択動画内容表示用のウィンドウと、動画像を再生する動画像再生ウィンドウと、を有する高解像度ディスプレイと、
　詳細な部分動画像の検索をストロボピクチャーアイコンにより行うか、または、実際に動画像を再生することにより行うかの利用者の選択を受け、ストロボピクチャーアイコンにより行う場合は、利用者による表示中のストロボピクチャーアイコンの部分区間の指示を受け、区間に対応するストロボピクチャーアイコンから開始フレーム番号、終了フレーム番号を求め、動画像を再生することにより行う場合は、動画像を再生し、利用者による動画像の部分区間の開始画面および終了画面のマーキングを受け、そのフレーム番号を動画像の区間定義情報として記憶し、新たに定義された部分動画像に対するストロボピクチャーアイコンを表示し、さらに詳しく部分動画像を定義する必要の有る場合には各処理を必要なだけ繰り返して部分動画像の検索を行う処理装置とを有する動画像検索方式」（以下、「引用例に記載された発明」という。）が記載されている。
　
（３）対比
　本願発明と、引用例に記載された発明を対比すると、
　引用例に記載された発明の、「動画像のかたまりを代表するピクチャーアイコンを表示する動画像一覧を示すウィンドウ」、「動画像の内容を示すと共に、フレーム番号に対応づけられたストロボピクチャーアイコンを表示する選択動画内容表示用のウィンドウ」、「動画像を再生する動画像再生ウィンドウ」、「高解像度ディスプレイ」「動画像検索方式」は、
　本願発明の、「映像データを代表する第１の画像データを表示する第１の表示領域」、「前記第１の画像データに対応する映像データの内容を表すと共に前記映像データ中における記録位置と対応付けられた第２の画像データを表示する第２の表示領域」、「映像データを表示する第３の表示領域」、「表示装置」、「映像検索装置」に各々相当すると認められる。
　また、引用例に記載された発明の「処理装置」は利用者の選択を受けて「動画像を動画像再生ウィンドウに再生」する、すなわち、映像データを映像を表示するためのウィンドウに表示するものであるから、映像データを第３の表示領域に表示する点では本願発明の「処理装置」と共通している。
　したがって、両者は、「映像データを代表する第１の画像データを表示する第１の表示領域と、前記第１の画像データに対応する映像データの内容を表すと共に前記映像データ中における記録位置と対応付けられた第２の画像データを表示する第２の表示領域と、映像データを表示する第３の表示領域とを有する表示装置と、
映像データを第３の表示領域に表示する処理装置を有する映像検索装置」である点で一致し、
　本願発明の処理装置は、「表示された前記第２の画像データの前記記録位置に続いて再生される映像データを前記第３の表示領域に表示する」ものであるのに対し、引用例に記載された発明の処理装置が、ストロボピクチャーアイコンの記録位置に続いて動画像を表示することが引用例には明記されていない点で相違している。
　
（４）当審の判断
　上記相違点について検討する。
　そこで、引用例に記載された発明において、利用者が、ストロボピクチャーアイコンにより部分動画像の検索を行い、続いて動画像を再生することにより、さらに詳しく部分動画像を定義する場合を検討すると、さらに詳しく部分動画像を定義する場合に再生される動画像は、ストロボピクチャーアイコンにより検索を行われた部分動画像であり、利用者による表示中のストロボピクチャーアイコンの部分区間の指示を受け、区間に対応するストロボピクチャーアイコンから開始フレーム番号、終了フレーム番号を求めて得られたものであるから、当該開始フレーム番号に対応するストロボピクチャーアイコンの記録位置に続いて再生されるものである。
　そして、引用例に記載された発明の動画像検索方式を用いて動画像の編集を行う場合、映像の編集を効率的に行うため、動画像のかたまりが大きい間はストロボピクチャーアイコンにより部分動画像の検索を行い、部分動画像が充分小さくなった場合には動画像再生によりさらに詳細に部分動画像の検索を行うことは、利用者が極めて自然に選択すべきことと認められ、結局、引用例に記載された発明の処理装置を、ストロボピクチャーアイコンの記録位置に続いて動画像を表示するものとすることは、当業者が容易になし得たことであり、上記相違点を格別のものと認めることはできない。
　
（５）むすび
　以上のとおりであるので、本願発明は、引用例に記載された発明に基づいて、当業者が容易に発明をすることができたものと認められるから、特許法第２９条第２項の規定により特許を受けることができない。
　
　よって結論のとおり審決する。